(57)【要約】【課題】画像読取部にて原稿サイズ検知を行う画像読取装置、原稿サイズ検知方法、及び原稿サイズ検知プログラムを提供する。【解決手段】パッチ（８１、８２）が白と判定され、パッチ（８３、８４）が黒と判定された場合、副走査方向の後ろ側に原稿が無いと判断され、原稿がＡ４ヨコであると決定する。パッチ（８１、８３）が白と判定され、パッチ（８２、８４）が黒と判定された場合、今度は主走査方向の後ろ側に原稿が無いと判断され、原稿がＡ４タテであると決定する。パッチ（８１、８２、８３８４）の全て黒と判定された場合、４つの読取位置にすべて原稿が無いと判断し、Ａ４より小さいサイズ、又は原稿無しと決定する。上記４つのパターンのどれにも当てはまらない場合は、どこかで検知エラーがあったと判断され、原稿サイズが検知されなかったことをコントロールパネル３０に表示してユーザに通知する。【選択図】図１
2007158965.tif 000002
【特許請求の範囲】
【請求項１】
原稿照射手段により原稿を照射し反射光を受光することで前記原稿を読み取る画像読取装置であって、
前記原稿照射手段により原稿を照射することで複数ラインの画像データを取得し、該画像データに基づいて前記原稿の原稿サイズを検出することを特徴とする画像読取装置。
【請求項２】
前記原稿照射手段の移動範囲は、前記画像データを取得するラインに応じて変更されることを特徴とする請求項１記載の画像読取装置。
【請求項３】
前記画像データを取得するラインは、検出する原稿サイズに基づいて決定されることを特徴とする請求項２記載の画像読取装置。
【請求項４】
各ラインの画像データから取得する主走査方向への範囲は、検出する原稿サイズに基づいて決定されることを特徴とする請求項１記載の画像読取装置。
【請求項５】
前記原稿照射手段の移動範囲は、前記画像データを取得するラインに応じて変更され、
前記画像データを取得するラインは、検出する原稿サイズに基づいて決定され、
各ラインの画像データから取得する主走査方向への範囲は、検出する原稿サイズに基づいて決定されることを特徴とする請求項１記載の画像読取装置。
【請求項６】
原稿読み取り押え板の開閉を検知する検知手段と、
前記検知手段によって前記原稿読み取り押え板が閉じられたことが検知されたとき、前記原稿照射手段が走査方向に移動することを特徴とする請求項２から５のいずれか１項記載の画像読取装置。
【請求項７】
原稿照射手段により原稿を照射し反射光を受光することで前記原稿を読み取る画像読取装置の原稿サイズ検知方法であって、
前記原稿照射手段により原稿を照射することで複数ラインの画像データを取得する工程と、
該画像データに基づいて前記原稿の原稿サイズを検出する工程とを有することを特徴とする原稿サイズ検知方法。
【請求項８】
原稿読み取り押え板の開閉を検知する検知工程と、
前記検知工程によって前記原稿読み取り押え板が閉じられたことが検知されたとき、前記原稿照射手段が走査方向に移動する工程とを有することを特徴とする請求項７記載の原稿サイズ検知方法。
【請求項９】
原稿照射手段により原稿を照射し反射光を受光することで前記原稿を読み取る画像読取装置の原稿サイズ検知プログラムであって、
前記原稿照射手段により原稿を照射することで複数ラインの画像データを取得する処理と、
該画像データに基づいて前記原稿の原稿サイズを検出する処理とを有することを特徴とする原稿サイズ検知プログラム。
【請求項１０】
原稿読み取り押え板の開閉を検知する検知処理と、
前記検知処理によって前記原稿読み取り押え板が閉じられたことが検知されたとき、前記原稿照射手段が走査方向に移動する処理とを有することを特徴とする請求項９記載の原稿サイズ検知プログラム。
【発明の詳細な説明】
【技術分野】
【０００１】
本発明は、ディジタル複写機、複合機等の画像形成装置における画像読取装置、原稿サイズ検知方法、及び原稿サイズ検知プログラムに関し、特に画像読取部にて原稿サイズ検知を行う画像読取装置、原稿サイズ検知方法、及び原稿サイズ検知プログラムに関する。
【背景技術】
【０００２】
イメージスキャナ等の原稿読取装置、原稿読取装置を備えた複写機、ファクシミリ、印刷装置等の画像形成装置は、コンタクトガラス等の透明な原稿台上に載置された原稿のサイズを自動で判別する機能を有している。原稿サイズを検知する方法として、Ｂ４、Ａ４、Ｂ４等の定形の各種原稿サイズに対応した位置に反射型センサを設置して、その反応の組合せから原稿サイズを判定する方法が一般に用いられている。
【０００３】
しかし、近年、コストダウンの一環としてセンサを用いず、原稿読取用のラインセンサを用いて原稿サイズを検知する方式が用いられるようになっている。
【０００４】
特許文献１では、原稿台にセットされた原稿を照明走査するための光源と、光源から発生されて原稿で反射される光に基づいて、原稿濃度に対応する画像データを生成するデータ生成手段と、データ生成手段によって生成される画像データ中から、予め定める条件に該当する部分を検出する検出手段と、検出手段から検出信号が出力されない場合に、上記予め定める条件を緩和すように変更する条件変更手段と、検出手段からの出力に基づいて原稿のサイズを判定するサイズ判定手段とを有することにより、ハーフトーン原稿や用紙の端縁付近まで画像が記録されている原稿であっても、原稿端縁を検知することができるため、原稿のサイズを正確に検出できる原稿サイズ検知装置が提案されている。
【０００５】
特許文献２では、原稿載置台上に載置された原稿に光を照射する光源と、原稿からの反射光に基づいて原稿上の画像を読み取る撮像素子とを備えた原稿読取装置を用いて、原稿のサイズを検出する原稿サイズ検出装置において、原稿マット開閉スイッチがオンされた後、原稿マットが完全に閉じられるまでの間に、光源を消灯した状態及び光源を点灯した状態で、撮像素子により原稿の読み取りを行わせ、それらの読取画像データの差をとって、原稿の端縁を判別することにより、照明具等の外乱光の影響がある環境においても、原稿の端縁を正確に判別して原稿サイズを検出することができる原稿サイズ検出装置が提案されている。
【０００６】
特許文献３では、原稿を読み取って得られた画像信号から該原稿サイズを検知する原稿サイズ検知装置であって、前記画像信号を所定時間加算する加算回路と該加算回路の出力信号を平均化する平均回路と、該平均回路の出力信号を所定の基準信号と比較する比較回路とからなる複数の処理回路を具備し、前記各比較回路の出力信号の中で該出力信号が反転する位置情報から前記原稿のサイズを検知することにより、原稿サイズを短い時間で検知することができ、また、画像形成時間を短縮する原稿サイズ検知装置、原稿サイズ検知方法、及び画像形成装置が提案されている。
【特許文献１】特開平１０−２５７２５５号公報
【特許文献２】特開２０００−１３８７９８号公報
【特許文献３】特開２００３−１９８８０９号公報
【発明の開示】
【発明が解決しようとする課題】
【０００７】
しかし、上記の発明は以下の問題を有している。
【０００８】
特許文献１記載の原稿サイズ検知装置は、データ生成手段によって生成される画像データの中から予め定める条件に該当する部分が検出されて、この検出された部分に基づいて原稿サイズを検出しているが、主走査方向の原稿領域を検出することにより原稿サイズを検出している。そのため、副走査方向への原稿サイズを検出するためには、専用のセンサを用いなければならない。
【０００９】
特許文献２記載の原稿サイズ検出装置は、消灯状態の読取画像データと点灯状態の読取画像データとの差をとって原稿の端縁を判別することにより用紙サイズを検出しているが、副走査方向のサイズを検出するために専用のセンサが用いられている。
【００１０】
特許文献３記載の原稿サイズ検知装置、原稿サイズ検知方法、及び画像形成装置は、所定期間の画像信号を加算し、加算された信号を平均化して所定の基準信号と比較し、各比較回路の出力信号の中で該出力信号が反転する位置情報から原稿のサイズを検出しているが、副走査方向のサイズを検出するために専用のセンサを用いる必要がある。
【００１１】
そこで、コンタクトガラス上に設置された原稿の所定の位置のみを読み取り、読み取った原稿の画像データを用いて、原稿の所定位置に対応する複数のパッチの白黒判定処理を行い、各パッチの白黒判定結果に基づいて原稿サイズの判定することにより、原稿サイズの判定のために原稿一面分をスキャンする必要がなくなり、原稿サイズ判定処理に要する時間を短縮することができる画像読取装置、原稿サイズ検知方法、及び原稿サイズ検知プログラムを提案することを目的としている。
【課題を解決するための手段】
【００１２】
請求項１記載の発明は、原稿照射手段により原稿を照射し反射光を受光することで前記原稿を読み取る画像読取装置であって、前記原稿照射手段により原稿を照射することで複数ラインの画像データを取得し、該画像データに基づいて前記原稿の原稿サイズを検出することを特徴とする。
【００１３】
請求項２記載の発明は、請求項１記載の画像読取装置において、前記原稿照射手段の移動範囲は、前記画像データを取得するラインに応じて変更されることを特徴とする。
【００１４】
請求項３記載の発明は、請求項２記載の画像読取装置において、前記画像データを取得するラインは、検出する原稿サイズに基づいて決定されることを特徴とする。
【００１５】
請求項４記載の発明は、請求項１記載の画像読取装置において、各ラインの画像データから取得する主走査方向への範囲は、検出する原稿サイズに基づいて決定されることを特徴とする。
【００１６】
請求項５記載の発明は、請求項１記載の画像読取装置において、前記原稿照射手段の移動範囲は、前記画像データを取得するラインに応じて変更され、前記画像データを取得するラインは、検出する原稿サイズに基づいて決定され、各ラインの画像データから取得する主走査方向への範囲は、検出する原稿サイズに基づいて決定されることを特徴とする。
【００１７】
請求項６記載の発明は、請求項２から５のいずれか１項記載の画像読取装置において、原稿読み取り押え板の開閉を検知する検知手段と、前記検知手段によって前記原稿読み取り押え板が閉じられたことが検知されたとき、前記原稿照射手段が走査方向に移動することを特徴とする。
【００１８】
請求項７記載の発明は、原稿照射手段により原稿を照射し反射光を受光することで前記原稿を読み取る画像読取装置の原稿サイズ検知方法であって、前記原稿照射手段により原稿を照射することで複数ラインの画像データを取得する工程と、該画像データに基づいて前記原稿の原稿サイズを検出する工程とを有することを特徴とする。
【００１９】
請求項８記載の発明は、請求項７記載の原稿サイズ検知方法において、原稿読み取り押え板の開閉を検知する検知工程と、前記検知工程によって前記原稿読み取り押え板が閉じられたことが検知されたとき、前記原稿照射手段が走査方向に移動する工程とを有することを特徴とする。
【００２０】
請求項９記載の発明は、原稿照射手段により原稿を照射し反射光を受光することで前記原稿を読み取る画像読取装置の原稿サイズ検知プログラムであって、前記原稿照射手段により原稿を照射することで複数ラインの画像データを取得する処理と、該画像データに基づいて前記原稿の原稿サイズを検出する処理とを有することを特徴とする。
【００２１】
請求項１０記載の発明は、請求項９記載の原稿サイズ検知プログラムにおいて、原稿読み取り押え板の開閉を検知する検知処理と、前記検知処理によって前記原稿読み取り押え板が閉じられたことが検知されたとき、前記原稿照射手段が走査方向に移動する処理とを有することを特徴とする。
【発明の効果】
【００２２】
本発明は、コンタクトガラス上に設置された原稿の所定の位置のみを読み取り、読み取った原稿の画像データを用いて、原稿の所定位置に対応する複数のパッチの白黒判定処理を行い、各パッチの白黒判定結果に基づいて原稿サイズの判定することにより、原稿サイズの判定のために原稿一面分をスキャンする必要がなくなり、原稿サイズ判定処理に要する時間を短縮することができる。
【発明を実施するための最良の形態】
【００２３】
以下、本発明の画像読取装置について、実施の形態に即して具体的に説明する。
【００２４】
＜画像読取装置＞
まず、図１、図２、図１２、及び図１３を参照して、本実施形態の画像読取装置の構成を説明する。図１は、画像読取装置１の概略構成を示す側面図であり、図２は、画像読取装置１の駆動系の構成を示す斜視図である。図１２は、画像読取装置１の外観を示す図である。図１３は、キャリッジが副走査方向へ移動する様子を示す図である。
【００２５】
画像読取装置１は、コンタクトガラス２と、第１のキャリッジ７と、第２のキャリッジ８と、レンズ９、ＣＣＤ１０と、駆動ワイヤ１１と、プーリ１２と、ホームポジションセンサ１３と、駆動軸１４と、ワイヤプーリ１５と、タイミングプーリ１６と、タイミングベルト１７と、モータ１８と、を有して構成される。
【００２６】
なお、第１のキャリッジ７には、ランプ３と、第１のミラー４とが搭載されており、第２のキャリッジ８には、第２のミラー５と、第３のミラー６とが搭載されている。
【００２７】
第１のキャリッジ７は駆動ワイヤ１１に取り付けられており、第２のキャリッジ８はプーリ１２を介して駆動ワイヤ１１に取り付けられている。また、駆動軸１４に繋がれたワイヤプーリ１５が駆動ワイヤ１１に巻きつけられており、タイミングプーリ１６とタイミングベルト１７によって、モータ１８の駆動を伝達することで、第１のキャリッジ７及び第２のキャリッジ８が図１の左右方向に移動する。
【００２８】
なお、第１のキャリッジ７と第２のキャリッジ８との移動速度比は２：１となっており、第１のキャリッジ７が移動する距離Ｌは、第２のキャリッジ８が移動する距離の２倍となっている。これにより光学系の光路長が一定に保たれており、キャリッジがどの地点にあっても、同一の条件（光路長）でＣＣＤ１０による受光が可能となっている。
【００２９】
また、第１のキャリッジ７、第２のキャリッジ８は、第１キャリッジ７の一端がホームポジションセンサ１３を横切ってから一定距離をリターンさせた位置をホームポジションとしている。
【００３０】
画像読取装置１の動作について説明する。第１のキャリッジ７のランプ３は、コンタクトガラス２上に置かれた原稿に対して光ビームを照射する。そして、該光ビームの反射光を、第１のミラー４、第２のミラー５、第３のミラー６によって反射して、レンズ９に導光する。レンズ９は、導光された反射光を集光し、ＣＣＤ（Charge Coupled Device／電荷結合素子）１０上に結像する。ＣＣＤ１０は、光信号を電気信号に変換し、後述するＩＰＵ２２に入力する。
【００３１】
＜内部回路＞
次に、図３を参照して、本実施形態の画像読取装置１の内部回路について説明する。
【００３２】
画像読取装置１は、内部回路として、ＣＰＵ２０と、ＲＡＭ２１と、ＩＰＵ２２と、コントロールパネル制御部２３と、コントロールパネル３０と、を有して構成される。
【００３３】
ＣＰＵ（Central Processing Unit）２０は、画像読取装置１の全体制御を行う中央演算処理装置である。ＲＡＭ（Random Access Memory）２１は、ＩＰＵ２２などの各機構の制御プログラムやパラメータを保持する。
【００３４】
ＩＰＵ２２（Image Processing Unit）２２は、画像処理制御ユニットであり、上述のＣＣＤ１０から送られてきた電気信号を処理することで画像データを生成し、該画像データを後段の機構（プリンタ部）に送る。
【００３５】
コントロールパネル制御２３は、コントロールパネル３０の液晶ディスプレイに表示する表示内容の制御や、コントロールパネル３０から選択入力されたコマンドをＣＰＵ２０に送る入力制御などを行う。コントロールパネル３０は、ユーザへの装置状態の表示や、ユーザからのコマンド入力を受け付ける操作部であり、タッチパネル方式の液晶ディスプレイを含んで構成される。
【００３６】
図４は、ＩＰＵ２２内の回路構成を示す。ＩＰＵ２２は、画像処理モジュール２４と、メモリ制御部２５と、ラインメモリ２６と、を有して構成される。
【００３７】
画像処理モジュール２４は、ＣＣＤ１０から送られてきた電気信号を画像データに変換し、該画像データに各種の画像処理を行う。具体的には、シェーディング補正、γ補正、平滑化処理などのスキャナ画像補正や、変倍処理、ＭＴＦ補正などの補正処理を行う。
【００３８】
メモリ制御部２５は、ラインメモリ２６へのメモリ処理の制御を行う。具体的には、後述する原稿サイズの検知動作を行う場合に、画像データをラインメモリ２６に蓄積する。なお、ＣＰＵ２０とＩＰＵ２２とは回路的に接続されているので、ＣＰＵ２０からメモリ制御部２５を制御することで、ラインメモリ２６のデータリード／ライトが可能となっている。
【００３９】
図５は、ＩＰＵ２２内の回路間でやり取りされる各種信号を示す。
【００４０】
画像処理モジュール２４は、ラインセンサ読み取り１ラインの基準となるＸＬＳＹＮＣ信号と、画素クロックであるＰＣＬＫと、ラインセンサ読み取り開始トリガを示すＸＦＳＹＮＣ信号と、をメモリ制御部２５に送る。メモリ制御部２５は、該信号を受け取った後で、ラインメモリ２６にＸＷＲＳＴ信号（ライトリセット信号）と、ＸＷＥ信号（ライトイネーブル信号）と、を渡す。
【００４１】
また、メモリ制御部２５は、「主走査スタート」、「主走査幅」、「副走査スタート」、「副走査幅」というメモリライト領域を示す４つのパラメータをＣＰＵ２０から受け取り、ＸＦＳＹＮＣ、ＸＬＳＹＮＣからラインメモリ２６のライト位置を確定する。
【００４２】
図６は、副走査方向に関する信号（ＸＦＳＹＮＣ、ＸＬＳＹＮＣ、ＸＷＲＳＴ、ＸＷＥ）のタイミングチャートを示し、図７は、主走査方向に関する信号（ＸＬＳＹＮＣ、ＰＣＬＫ、ＸＷＲＳＴ、ＸＷＥ）のタイミングチャートを示す。
【００４３】
上述のようにＩＰＵ２２を構成することにより、図８に示すような主走査、副走査の２次元方向の複数パッチのデータを同時にラインメモリ２６に書き込むことが可能となっている。図８において斜線部がメモリ書込み領域を示す。本実施形態において、主走査及び副走査の２次元方向の複数パッチをそれぞれパッチ（８１、８２、８３、８４）とする。また、各パッチ（８１、８２、８３、８４）のデータは、原稿上において図９に示す位置に相当する部分のデータである。
【００４４】
ここでは、パラメータ、タイミングとして主走査方向、副走査方向を用いているが、この副走査方向は原稿読み取りに対する副走査方向のみならず、時間の経過もあらわす。図８の横軸ｔは時間軸を示し、Ｔ１、Ｔ２は、そのタイミングでの読取パッチの位置を示す。
【００４５】
＜白黒判定処理＞
次に、画像データの白黒判定処理のフローについて説明する。ここでは、図８に示すパッチデータをラインメモリ２６から１パッチずつＲＡＭ２１に読み出し、ＣＰＵ２０において１パッチの平均値を求め２値化を行うことでパッチの白黒判定を行う。
【００４６】
図１０は、白黒判定処理のフローを示す。
【００４７】
まず、１パッチ内の画素数を設定する（ステップＳ１００１）。次に、ラインメモリ２６から１画素単位でリードを行う（ステップＳ１００２）。
【００４８】
リード後、全画素数分読み取ったか否かの判定を行う（ステップＳ１００３）。具体的には、読み取った画素数が全画素数に達しているか否かの判定を行う。ここで、全画素数分読み取っていないと判定された場合には（ステップＳ１００３／ＮＯ）、ステップＳ１００２に戻り次ライン画素のリードを行う。
【００４９】
全画素数分読み取ったと判定された場合には（ステップＳ１００３／ＹＥＳ）、１パッチ内の平均値を求める（ステップＳ１００４）。そして、該平均値からパッチの黒画素、白画素の判定を行う（ステップＳ１００５）。具体的には、１パッチの平均値と所定の基準値とを比較し、基準値以下であれば当該パッチは濃度が低い、すなわち白と判定し、逆に基準値以上であれば当該パッチは濃度が高い、すなわち黒と判定する。
【００５０】
なお、本フローにおいては、全画素の読み取り後に全画素の全平均を求めることで平均値を算出しているが、例えば、主走査ライン単位で加算を行い１ラインでの平均を求め、その後次のラインの加算、平均値算出処理を繰り返すこと平均値を算出しても良い。いずれにしても、副走査方向の複数読み取り分について各々主走査方向に離散した複数箇所異なる各パッチ画像の画像データに対して所定の基準値を用いその比較結果によりパッチの白黒判定を行うようにしているので、簡単な処理で確実に白黒判定を行うことが可能となっている。
【００５１】
＜原稿サイズ判定処理＞
次に、原稿の原稿サイズを検出する処理について説明する。
【００５２】
本実施形態の画像読取装置においては、コンタクトガラス２上に設置された原稿の所定の位置（図８及び図９に示す）のみを読み取り、読み取った原稿の画像データを用いて、図１０に示した各パッチの白黒判定処理を行い、各パッチの白黒判定結果に基づいて原稿サイズの判定することにより、原稿サイズの判定のために原稿一面分をスキャンする必要がなくなり、原稿サイズ判定処理に要する時間を短縮することができる。
【００５３】
また、下記の原稿サイズ判定処理による読み取り処理と同時にキャリッジを本来の原稿読取り（本スキャン）位置へ移動させることにより、原稿検知後の本スキャン開始までの時間を短縮することができる。なお、サイズ検知のための原稿の読み取りが完了した直後に本スキャンを開始するような場合には、ランプを消灯せず、原稿照射用のランプを点灯したままにする場合もあり得る。
【００５４】
まず、図１２に示すように、原稿を押える圧板が閉じられているか否かを検知する（ステップＳ１１０１）。圧板が閉じられていた場合は（ステップＳ１１０１／ＹＥＳ）、各キャリッジ（７、８）を所定の位置に移動させて（ステップＳ１１０２）、原稿サイズの検出に必要な準備を行う（ステップＳ１１０３）。具体的には、図６、図７に示す原稿の読み取りタイミングの設定などである。次に、原稿サイズの検出処理を行う。具体的には、ランプ３を点灯し（ステップＳ１１０４）、反射光をＣＣＤ１０で受光する（ステップＳ１１０５）。このとき、図１３に示すように、第１のキャリッジ７、第２のキャリッジ８をパッチ（８１、８２、８３、８４）に属するラインへ移動させて原稿を走査してサイズ検出を実行する。このとき、パッチ（８１、８２、８３、８４）に属するラインのみを走査するため、原稿サイズ検出のための原稿の走査時間を短縮することができ、かつ画像データを取得するラインが少ないため、ラインメモリ２６の容量を節約することができる。なお、原稿サイズ検出のために走査するラインの位置は、判別する原稿サイズの変更に伴う各パッチ（８１、８２、８３、８４）の位置の変更に応じて変更される。
【００５５】
次に、原稿サイズを解析するために、ステップＳ１３で読み取った原稿の画像データの取り出しを行う（ステップＳ１１０６）。ここで、原稿の画像データの取り出しは、ラインメモリ２６に蓄積されたデータをＣＰＵ２０が読み出すことで行われる。ここで、ＣＰＵ２０はラインメモリ２６に蓄積された複数ラインの全ての画像データを読み出すのではなく、各ラインの画像データから各パッチ（８１、８２、８３、８４）の主走査方向の領域に属する画像データのみを読み出す。なお、各ラインの画像データから読み出される主走査方向の領域は、判別する原稿サイズの変更に伴う各パッチ（８１、８２、８３、８４）の位置の変更に応じて変更される。
【００５６】
次に、上記取り出した画像データを解析し、原稿サイズの判定を行う（ステップＳ１１０７）。ここでは、上述の図１０で説明した白黒判定処理を行うことで原稿サイズの判定を行う。具体的には、原稿サイズ検出のために設定した基準位置におけるパッチ画像の白黒判定を行うことで原稿サイズの判定を行う。
【００５７】
ここで、パッチ画像の白黒判定結果に基づく原稿サイズの判定は、表１に基づいて行う。
【００５８】
本実施形態においては、読み取るパッチとして図８及び図９に示すパッチ（８１、８２、８３、８４）を用いる。また、検知する原稿サイズをＡ３、Ａ４ヨコ、Ａ４タテ、それ以外とする。パッチ（８１、８２、８３、８４）の全てが白と判定された場合、４つの読み取り位置にすべて原稿が有ると判断し、原稿がＡ３サイズであると決定する。パッチ（８１、８２）が白と判定され、パッチ（８３、８４）が黒と判定された場合、副走査方向の後ろ側に原稿が無いと判断され、原稿がＡ４ヨコであると決定する。パッチ（８１、８３）が白と判定され、パッチ（８２、８４）が黒と判定された場合、今度は主走査方向の後ろ側に原稿が無いと判断され、原稿がＡ４タテであると決定する。パッチ（８１、８２、８３８４）の全て黒と判定された場合、４つの読取位置にすべて原稿が無いと判断し、Ａ４より小さいサイズ、又は原稿無しと決定する。上記４つのパターンのどれにも当てはまらない場合は、どこかで検知エラーがあったと判断され、原稿サイズが検知されなかったことをコントロールパネル３０に表示してユーザに通知する。
【００５９】
【表１】
2007158965.tif 000003
【００６０】
原稿サイズの判定に成功した場合には（ステップＳ１１０８／ＹＥＳ）、該サイズ判定処理で判定された原稿サイズを読み取る対象の原稿のサイズとして設定する（ステップＳ１１０９）。ここで、原稿サイズの設定とは、ＣＰＵ２０に接続されたプログラム実行用のメモリであるＲＡＭ２１に原稿サイズ情報を保存することであり、以降の処理においては、設定した原稿サイズ情報を読み出して利用する。
【００６１】
原稿サイズの判定に失敗した場合には（ステップＳ１１０８／ＮＯ）、原稿サイズを設定せずに原稿サイズ検知動作を完了する。なお、原稿サイズの判定が失敗するケースとしては、原稿がもともと設置されていないケースや読み取る対象の原稿が真黒な原稿であるために読み取れないケース、原稿台に対する外光の影響や原稿照射用のランプの点灯状態（ランプをＯＮしたが光量が安定していない状態で読み取りを実行する等）を理由として読み取りデータから原稿のサイズを判定することができないケース考えられる。
【図面の簡単な説明】
【００６２】
【図１】画像読取装置の概略構成を示す側面図である。
【図２】画像読取装置の駆動系の構成を示す斜視図である。
【図３】画像読取装置の内部回路を示すブロック図である。
【図４】ＩＰＵ内の回路構成を示すブロック図である。
【図５】ＩＰＵ内の回路間でやり取りされる各種信号を説明するための図である。
【図６】副走査方向に関する信号のタイミングチャートを示す図である。
【図７】主走査方向に関する信号のタイミングチャートを示す図である。
【図８】ラインメモリへの書き込み領域を説明するための図である。
【図９】ラインメモリへの書き込み領域のコンタクトガラス上の位置を示す図である。
【図１０】白黒判定処理のフローを示す図である。
【図１１】原稿サイズの検出フローを示す図である。
【図１２】画像読取装置１の外観を示す図である。
【図１３】キャリッジが副走査方向へ移動する様子を示す図である。
【符号の説明】
【００６３】
１    画像読取装置
２    コンタクトガラス
７    第１のキャリッジ
８    第２のキャリッジ
９    レンズ
１０    ＣＣＤ
１１    駆動ワイヤ
１２    プーリ
１３    ホームポジションセンサ
１４    駆動軸
１５    ワイヤプーリ
１６    タイミングプーリ
１７    タイミングベルト
１８    モータ
２０    ＣＰＵ
２２    ＩＰＵ
２４    画像処理モジュール
２５    メモリ制御部
２６    ラインメモリ
【図１】
2007158965.tif 000004
【図２】
2007158965.tif 000005
【図３】
2007158965.tif 000006
【図４】
2007158965.tif 000007
【図５】
2007158965.tif 000008
【図６】
2007158965.tif 000009
【図７】
2007158965.tif 000010
【図８】
2007158965.tif 000011
【図９】
2007158965.tif 000012
【図１０】
2007158965.tif 000013
【図１１】
2007158965.tif 000014
【図１２】
2007158965.tif 000015
【図１３】
2007158965.tif 000016